(57)【特許請求の範囲】
【請求項１】
左右方向に複数配置される基礎ブロックと、その各基礎ブロックに固定され、前後脚部の上端間に前方に向かって下向きの傾斜桟部が掛け渡される支持体と、隣り合う前記支持体の前脚部間に掛け渡される前側のベースレールと、隣り合う前記支持体の後脚部間に掛け渡される後側のベースレールと、隣り合う前記支持体の傾斜桟部間に掛け渡される横桟とを備える屋外用架台において、
前記支持体は、前記前後脚部及び傾斜桟部が一体に形成されたものであり、前記前後脚部が前記基礎ブロックに対する固定片を有し、
前記基礎ブロックに対して、前記前脚部の固定片が前記前側のベースレールを介して締結具により固定され、前記後脚部の固定片が前記後側のベースレールを介して締結具により固定され、
前記横桟が、両端部に形成される固定孔と、一端部に形成されるフックとを有し、
前記傾斜桟部は、前記横桟のフックが係止する係止孔と、前記横桟が掛け渡される状態で前記横桟の固定孔に一致する固定孔とを有することを特徴とする屋外用架台。
【請求項２】
支持体は、前後脚部及び傾斜桟部が左右方向を向く側面部を有するものであり、前記前後脚部及び傾斜桟部のそれぞれの側面部が一体に形成されたことを特徴とする請求項１に記載の屋外用架台。
【請求項３】
延長用ベースレールを備え、その延長用ベースレールは、前記ベースレールの一端部に固定片が形成されたものであり、その固定片が前記支持体の側面部に対向し、前記支持体の前後脚部の側面部に固定するようにしたことを特徴とする請求項２に記載の屋外用架台。
【発明の詳細な説明】
【技術分野】
【０００１】
この発明は、ビルやマンションの屋上などに設置される無線基地局の通信機、無線機、整流機などを設置する屋外用架台に関する。
【背景技術】
【０００２】
近年、移動体通信技術の進展に伴い、都市部での良好な通信環境を提供する目的で、既存のビルの屋上などに、新たな無線基地局の設置が進められている。既存のビルの屋上に通信機、無線機などの通信機器類を設置する屋外用架台としては、アンテナと通信機器類とを平面視が三角形状をなす枠体に設置するようにしたものが使用されている（例えば、特許文献１参照）。
【０００３】
特許文献１に記載された屋外用架台は、アンテナあるいはウェイトを設置する三つの架台を相互に連結材にて着脱自在に連結し、平面視が三角形状の枠本体を形成し、枠本体内にアンテナを設置する架台本体を固定材にて着脱自在に一体的に固定したものである。
【０００４】
この屋外用架台は、枠本体を平面三角形に形成し、枠本体内に架台本体を設けることによりアンテナを屋上の隅部に安定して取り付けることができる。
【０００５】
また、屋外用架台としては、図１６に示すように、アンテナ以外の通信機器類を設置するものが使用されている。その屋外用架台は、左右方向に三箇所に配置された基礎ブロック５０と、それぞれの基礎ブロック５０に固定され、前脚部５１と後脚部５２の上端間に前方に向かって下向きの傾斜桟部５３がボルト及びナットの締結により連結される支持体５４と、左右両側の支持体５４の前脚部５１、５１間及び後脚部５２間に掛け渡されるベースレール５５と、左右両側の支持体５４の傾斜桟部５３間の前後二箇所に取り付けられる横桟５６とを備える。
【０００６】
図１６に示す屋外用架台は、左右両側の支持体５４の傾斜桟部５３間に掛け渡したベースレール５５に対して通信機器類を固定するため、通信機器類を含む屋外用架台の高さが低く抑えられ、安定性を確保することができる。
【先行技術文献】
【特許文献】
【０００７】
【特許文献１】実用新案登録第３０７６３７９号公報
【発明の概要】
【発明が解決しようとする課題】
【０００８】
特許文献１に記載された屋外用架台は、架台と連結材との連結、架台本体と固定材との連結及び枠本体と固定材との連結が、ボルト及びナットの締結により行われているので、その締結に時間がかかり、組み立ての作業効率が悪い。
【０００９】
図１６に示した屋外用架台では、支持体５４は、前脚部５１と後脚部５２に対して傾斜桟部５３をボルト及びナットの締結により組み立てる必要がある。ベースレール５５及び横桟５６も、左右両側の支持体５４に対してボルト及びナットの締結により連結している。このため、ボルト及びナットの締結に時間がかかり、作業効率が悪い。
【００１０】
また、支持体５４は、前脚部５１と後脚部５２に対して傾斜桟部５３をボルト及びナットの締結で組み立てるものである。このため、それぞれの支持体５４において、前脚部５１と後脚部５２に対する傾斜桟部５３の締結角度が不揃いであると、ベースレール５５及び横桟５６の連結に支障が生じ、その締結角度の調整が必要である。
【００１１】
ベースレール５５は、比較的長尺であり、左右両側の支持体５４のうち、一方の支持体５４にベースレール５５の一端部を連結する際、そのベースレール５５の他端部を他方の支持体５４との連結位置で支える必要があった。このよう連結作業は、一人の作業員では難しく、作業効率の低下を招いていた。この問題は、横桟５６を左右両側の支持体５４に対して連結する際も起こりうる。
【００１２】
さらに、既存のビルの屋上に新たな無線基地局を設置する場合、屋外用架台を含む設備一式の重量が基準値よりも大きいと、設置対象の既存のビルに対し別途耐震対策等を施す必要がある。このため、屋外用架台に対して、軽量化が求められている。
【００１３】
そこで、この発明の課題は、組み立て易く、軽量化を図った屋外用架台を提供することである。
【課題を解決するための手段】
【００１４】
前記の課題を解決するために、この発明は、
左右方向に複数配置される基礎ブロックと、その各基礎ブロックに固定され、前後脚部の上端間に前方に向かって下向きの傾斜桟部が掛け渡される支持体と、隣り合う前記支持体の前脚部間に掛け渡される前側のベースレールと、隣り合う前記支持体の後脚部間に掛け渡される後側のベースレールと、隣り合う前記支持体の傾斜桟部間に掛け渡される横桟とを備える屋外用架台において、前記支持体は、前記前後脚部及び傾斜桟部が一体に形成されたものであり、前記前後脚部が前記基礎ブロックに対する固定片を有し、前記基礎ブロックに対して、前記前脚部の固定片が前記前側のベースレールを介して締結具により固定され、前記後脚部の固定片が前記後側のベースレールを介して締結具により固定され、前記横桟が、両端部に形成される固定孔と、一端部に形成されるフックとを有し、前記傾斜桟部は、前記横桟のフックが係止する係止孔と、前記横桟が掛け渡される状態で前記横桟の固定孔に一致する固定孔とを有する構成を採用することができる。
【００１５】
この構成によると、支持体は、前後脚部及び傾斜桟部が一体に形成されるので、前後脚部に対して傾斜桟部をボルト及びナットの締結により組み立てる必要がなく、前後脚部に対する傾斜桟部の締結位置を調整する必要がない。
【００１６】
また、支持体は、前後脚部の固定片によりベールレールを介して容易に基礎ブロックに固定できるので、前後のベースレールの固定作業を簡潔化することができる。
【００１７】
さらに、横桟のフックを傾斜桟部の係止孔に係止させると、横桟の一端が傾斜桟部に支持される状態となり、横桟の一端部を支える必要がない。横桟の他端部においては、その固定孔を傾斜桟部の固定孔に一致させて、ボルト及びナットの締結により横桟を傾斜桟部に容易に固定することができる。
【００１８】
横桟のフックを傾斜桟部の係止孔に係止させることで、横桟の一端では、傾斜桟に対して、ボルト及びナットの締結が不要となる。
【００１９】
上記構成において、支持体は、前後脚部及び傾斜桟部が左右方向を向く側面部を有するものであり、前記前後脚部及び傾斜桟部のそれぞれの側面部が一体に形成された構成を採用することができる。
【発明の効果】
【００２０】
この発明の屋外用架台は、支持体を前後脚部と、これらの間に掛け渡した傾斜桟とを一体に形成したので、従来のように支持体をボルト及びナットの締結により組み立てる必要がなく、ボルト及びナットの締結箇所を削減することができる。
【００２１】
支持体は、前後脚部の固定片により、ベースレールを介して基礎ブロックに固定できるので、前後のベースレールの固定作業を簡略化することができる。
【００２２】
また、横桟の一端部にフックを形成し、そのフックの係止孔を支持体の傾斜桟部に形成したので、横桟のフックを支持体の傾斜桟部の係止孔に係止する状態を保ちつつ、横桟の他端部を他の支持体の傾斜桟部に固定することができる。
【００２３】
さらに、支持体は前後脚部及び傾斜桟部を一体に形成されるので、前後脚部に対して傾斜桟部をボルト及びナットの締結により組み立てる場合よりも、軽量化を図ることができる。
【図面の簡単な説明】
【００２４】
【図１】この発明の第一実施形態の屋外用架台を示す斜視図
【図２】同上の屋外用架台の分解斜視図
【図３】図１のＡ−Ａ線における縦断面図
【図４】同上の屋外用架台の左側部分の拡大分解斜視図
【図５】図１のＢ−Ｂ線における縦断面図
【図６】同上の屋外用架台の右側部分の拡大分解斜視図
【図７】図１のＣ−Ｃ線における縦断面図
【図８】同上の屋外用架台の中間部分の拡大分解斜視図
【図９】（ａ）傾斜桟部の係止孔への横桟のフックの係止前状態を示す概略図、（ｂ）傾斜桟部の係止孔への横桟のフックの挿入状態を示す概略図、（ｃ）傾斜桟部の係止孔への横桟のフックの係止状態を示す概略図
【図１０】図１のＤ−Ｄ線における縦断面図
【図１１】図１のＥ−Ｅ線における縦断面図
【図１２】この発明の第二実施形態の屋外用架台の延長部分を示す斜視図
【図１３】同上の延長用支持体に対する延長用横桟の取り付けを示す斜視図
【図１４】同上の左側の支持体に対する延長用ベースレールの取り付けを示す斜視図
【図１５】同上の左側の支持体に対する延長用横桟の取り付けを示す斜視図
【図１６】従来の屋外用架台を示す斜視図
【発明を実施するための形態】
【００２５】
以下、この発明の第一実施形態に係る屋外用架台を図１〜図１１に基づいて説明する。屋外用架台は、既存のビルの屋上などに新たに無線基地局を設置する際に使用され、アンテナ以外の通信機、無線機などの通信機器類を設置するものである。
【００２６】
屋外用架台は、図１、２に示すように、左右方向に間隔をおいて三箇所に配置される基礎ブロック１と、それぞれの基礎ブロック１上に固定される支持体２と、隣り合う支持体２、２間に掛け渡されるベースレール３及び横桟４と、ベースレール３に固定される共用器用固定具５とボックス用固定具６とを備える。
【００２７】
屋外用架台は、さらに右側の基礎ブロック１よりも右方外側に配置される外側の基礎ブロック１と、右側の基礎ブロック１と外側の基礎ブロック１との間に掛け渡される支持バー７とを備える。
【００２８】
基礎ブロック１は、断面台形のコンクリート体であり、上面の前後方向に形成されたガイド溝１ａと、ガイド溝１ａ内に嵌め合わされた複数のボルト３０とを有する（図４参照）。
【００２９】
ガイド溝１ａは、ボルト３０の頭部が嵌め合わせ可能な幅を有し、その溝側壁の上端部の左右方向両側に左右方向内向きの突条１ｂ、１ｂが形成される。突条１ｂ、１ｂの間隔は、ボルト３０の頭部よりも狭く、ボルト３０の軸部よりも大きい幅に形成される。
【００３０】
それぞれの基礎ブロック１のうち、右側の基礎ブロック１は、図２に示すように、四本のボルト３０がガイド溝１ａ内に嵌め合わされる。その他の基礎ブロック１には、二本のボルト３０がガイド溝１ａ内に嵌め合わされる。
【００３１】
左側の支持体２は、図２に示すように、前脚部１１と、前脚部１１よりも上下方向に長い後脚部１２と、前脚部１１及び後脚部１２の上端間に掛け渡される傾斜桟部１３とを有する。前脚部１１及び後脚部１２の下端部が同一平面上に位置し、傾斜桟部１３が前方に向かって下向きに傾斜する。
【００３２】
前脚部１１は、図３に示すように、断面Ｌ字状をなし、左向きの側面部１１ａと、側面部１１ａの前縁部に連結する前向きの前面部１１ｂとから形成される。また、前脚部１１は、下端部に基礎ブロック１上面に対向する固定片１１ｃを有する。側面部１１ａ及び固定片１１ｃに固定孔１１ｄが形成される（図４参照）。
【００３３】
後脚部１２は、断面Ｌ字状をなし、左向きの側面部１２ａと、側面部１２ａの後縁部に連結する後向きの後面部１２ｂとから形成される。また、後脚部１２は、下端部に基礎ブロック１上面に対向する固定片１２ｃを有する。側面部１２ａの上下方向両側と、後面部１２ｂの上部と、固定片１２ｃとに、それぞれ固定孔１２ｄが形成される。
【００３４】
傾斜桟部１３は、断面Ｌ字状をなし、左向きの側面部１３ａと、側面部１３ａの上縁部に連結する上向きの上面部１３ｂとから形成される。上面部１３ｂは、前後方向両側に形成される固定孔１３ｃと、それぞれの固定孔１３ｃの前後方向両側に形成される係止孔１３ｄとを有する。係止孔１３ｄは左右方向に延びる長孔である。
【００３５】
左側の支持体２は、図３、４に示すように、前脚部１１、後脚部１２及び傾斜桟部１３のそれぞれの側面部１１ａ、１２ａ、１３ａが同一平面上に位置する状態で一体化しており、金属板の折り曲げ加工により形成することができる。
【００３６】
右側の支持体２は、図２に示すように、その構造が左側の支持体２と左右対称であるので、左側の支持体２に対応する部位には同じ符号を付して、その説明を省略する。
【００３７】
中間の支持体２は、図２に示すように、右側の支持体２と同じ構造のものが使用される。このため、中間の支持体２については、右側の支持体２と同じ符号を付して、その説明を省略する。
【００３８】
ベースレール３は、帯状の金属板からなり、その幅方向一端縁から直角に立ち上がる補強板部３ａと、両端部に形成される固定孔３ｂとを有する。ベースレール３は、両端部の固定孔３ｂ、３ｂに、隣り合う基礎ブロック１、１の前側（後側）のボルト３０の軸部がそれぞれ挿通する長さを有する。
【００３９】
左側の基礎ブロック１と中間の基礎ブロック１との間及び中間の基礎ブロック１と右側の基礎ブロック１との間において、ベースレール３が前後方向二箇所、計四本掛け渡されている。
【００４０】
左側の基礎ブロック１と中間の基礎ブロック１との間に前後二本のベースレール３が掛け渡される。その前後二本のベースレール３は、補強板部３ａが前後方向外側に配置され、一端部が左側の基礎ブロック１の前後のボルト３０にそれぞれ挿通され、他端部が中間の基礎ブロック１の前後のボルト３０にそれぞれ挿通される（図８参照）。
【００４１】
中間の基礎ブロック１と右側の基礎ブロック１との間に、前後二本のベースレール３掛け渡される。その前後二本のベースレール３は、補強板部３ａが前後方向外側に配置される状態で、一端部が中間の基礎ブロック１の前後のボルト３０にそれぞれ挿通され、他端部が右側の基礎ブロック１の前後のボルト３０にそれぞれ挿通される。
【００４２】
中間の基礎ブロック１においては、図７に示すように、左側の基礎ブロック１のボルト３０に挿通されたベースレール３の他端部上に、右側の基礎ブロック１のボルト３０に挿通されたベースレール３の一端部が重なり、そのベースレール３、３の重なる端部がボルト３０に挿通されている。
【００４３】
それぞれの基礎ブロック１に対して、上述のようにベースレール３の端部（ベースレール３、３の重なる端部）がボルト３０に挿通される状態で、前側のボルト３０に支持体２の前脚部１１の固定片１１ｃが挿通され、後側のボルト３０に支持体２の後脚部１２の固定片１２ｃが挿通され、ナットが締め付けられる。
【００４４】
すなわち、それぞれの基礎ブロック１に対し、支持体２の前脚部１１の固定片１１ｃがベースレール３の端部を介して締結具としてのボルト３０及びナットにより固定され、支持体２の後脚部１２の固定片１２ｃがベースレール３の端部を介してボルト３０及びナットにより固定されている。
【００４５】
左側の支持体２の後脚部１２と中間の支持体２の後脚部１２との間、及び中間の支持体２の後脚部１２と右側の支持体２の後脚部１２との間の上端において、ベースレール３が掛け渡されている。
【００４６】
左側の支持体２の後脚部１２と中間の支持体２の後脚部１２との間に掛け渡されるベースレール３は、一端部が左側の支持体２の後脚部１２の後面部１２ｂに、他端部が中間の支持体２の後脚部１２の後面部１２ｂに、それぞれボルト３０とナットの締結により固定される（図３、図７参照）。
【００４７】
また、中間の支持体２の後脚部１２と右側の支持体２の後脚部１２との間に掛け渡されるベースレール３は、一端部が中間の支持体２の後脚部１２の後面部１２ｂに、他端部が右側の支持体２の後脚部１２の後面部１２ｂに、ボルト３０とナットの締結により固定される（図５、図７参照）。
【００４８】
中間の支持体２の後脚部１２においては、図７に示すように、左側の支持体２に一端が固定されるベースレール３の他端部上に、右側の支持体２に他端部が固定されるベースレール３の一端部が重なっている。このように端部がそれぞれ重なる二本のベースレール３、３と、中間の支持体２の後脚部１２の後面部１２ｂとがボルト３０とナットの締結により固定される。
【００４９】
横桟４は、図２に示すように、帯状の金属板から形成され、幅方向両側を同方向直角に立ち上げた補強板部４ａと、両端部に形成された固定孔４ｂと、一端部の幅方向両側に形成されるフック４ｃとを有する。また、横桟４は、長さ方向の複数箇所に肉抜き加工が施される。
【００５０】
補強板部４ａは、横桟４の両端部が切り欠いて形成される。フック４ｃは、図９を示すように、補強板部４ａと同方向に突き出し補強板部４ａに向かって長さ方向内向きに折れ曲がって形成される。
【００５１】
左側の支持体２の傾斜桟部１３と中間の支持体２の傾斜桟部１３との間、及び中間の支持体２の傾斜桟部１３と右側の支持体２の傾斜桟部１３との間において、横桟４が前後方向二箇所、計四本掛け渡されている。
【００５２】
左側の支持体２の傾斜桟部１３と中間の支持体２の傾斜桟部１３との間の前後に掛け渡される横桟４、４は、一端部のフック４ｃが左側の支持体２の傾斜桟部１３の係止孔１３ｄに係止し、他端部の固定孔４ｂが中間の支持体２の傾斜桟部１３の固定孔１３ｃと一致する状態となっている。
【００５３】
中間の支持体２の傾斜桟部１３と右側の支持体２の傾斜桟部１３との間の前後に掛け渡される横桟４、４は、一端部のフック４ｃが右側の支持体２の傾斜桟部１３の係止孔１３ｄに係止し、他端部の固定孔４ｂが中間の支持体２の傾斜桟部１３の固定孔１３ｃと一致する状態となっている。
【００５４】
中間の支持体２の傾斜桟部１３においては、図７に示すように、左側の支持体２の傾斜桟部１３にフック４ｃが係止する横桟４の他端部上に、右側の支持体２の傾斜桟部１３にフック４ｃが係止する横桟４の他端部が重なる状態となっている。
【００５５】
他端部同士が重なる状態の横桟４、４のそれぞれの固定孔４ｂは、中間の支持体２の傾斜桟部１３の固定孔１３ｃに一致し、一致する横桟４の固定孔４ｂと傾斜桟部１３の固定孔１３ｃに、ボルト３０が挿通されて、ナットが締結される。
【００５６】
なお、支持体２、ベースレール３及び横桟４は、材質として耐食性を有する折り曲げ加工が容易なものを適用することができる。例えば、高耐食性を有する亜鉛めっき鋼板を適用できる。
【００５７】
共用器用固定具５は、図２に示すように、上下方向に延びる左右一対の基板部５ａと、それぞれの基板部５ａに対して左右方向内側縁に一体に形成される断面Ｌ字状の固定枠部５ｂと、基板部５ａ上部に一体に形成されるフック５ｃと、基板部５ａの下部に締結具を介して取り付けられる固定片５ｄとを備える。
【００５８】
固定枠部５ｂは、基板部５ａに対して後方に突き出して一体化され、上下方向の長さが、基板部５ａと同じ長さを有する。フック５ｃは、基板部５ａの上端縁から前方に突出し、先端部分が後方に向かって下向きに傾斜し、上側のベースレール３の補強板部３ａに係止することができる。
【００５９】
固定片５ｄは、基板部５ａの下部との間で、ベースレール３の補強板部３ａを挟み、締結具により、基板部５ａをベースレール３に固定するものである。締結具としては、ボルト及びナットが使用される。
【００６０】
また、共用器用固定具５は、図１０に示すように、中間の支持体２と右側の支持体２との間において、後側の上下二箇所に掛け渡されるベースレール３に対して、左右方向二箇所に固定される。
【００６１】
共用器用固定具５は、一対の基板部５ａのフック５ｃが後方から上側のベースレール３に係止され、一対の基板部５ａの下部と固定片５ｄとで、下側のベースレール３の補強板部３ａが挟まれた状態で、ボルト３０及びナットにより締め付け、固定される。
【００６２】
一対の基板部５ａの左右方向の間隔は、固定対象の共用器（図示省略）の左右方向の幅に応じて設定される。
【００６３】
ボックス用固定具６は、共用器用固定具５と同様に、上下方向に延びる左右一対の基板部６ａと、それぞれの基板部６ａに対して左右方向内側縁に一体に形成される断面Ｌ字状の固定枠部６ｂと、基板部６ａ上部に一体に形成されるフック６ｃと、基板部６ａの下部に締結具を介して取り付けられる固定片６ｄとを備える。
【００６４】
固定枠部６ｂは、基板部６ａに対して後方に突き出して一体化され、上下方向の長さが、基板部６ａよりも長く形成されている。フック６ｃは、基板部６ａの上端縁から前方に突出し、先端部分が後方に向かって下向きに傾斜し、上側のベースレール３の補強板部３ａに引っ掛けることができる。
【００６５】
固定片６ｄは、基板部６ａの下部とでベースレール３の補強板部３ａを挟み、締結具により、基板部６ａをベースレール３に固定するものである。締結具は、ボルト及びナットが使用される。
【００６６】
ボックス用固定具６は、図１１に示すように、左側の支持体２と中間の支持体２との間において、後側の上下二箇所に掛け渡されるベースレール３に対して固定される。
【００６７】
ボックス用固定具６は、一対の基板部６ａのフック６ｃが後方から上側のベースレール３に係止され、一対の基板部６ａの下部と固定片６ｄとで、下側のベースレール３の補強板部３ａが挟まれる状態で、ボルト３０及びナットにより締め付け、固定される。
【００６８】
一対の基板部６ａの左右方向の間隔は、固定対象のボックス（図示省略）の左右方向の幅に応じて設定される。
【００６９】
なお、固定片５ｄ及び６ｄを除き、共用器用固定具５及びボックス用固定具６は、材質として耐食性を有する折り曲げ加工が容易なものを適用することができる。例えば、高耐食性を有する亜鉛めっき鋼板を適用できる。
【００７０】
右側の基礎ブロック１よりも右方外側に配置される外側の基礎ブロック１は、右側の基礎ブロック１と同じ構造のものが使用される。このため、外側の基礎ブロック１については、右側の基礎ブロック１と同じ符号を付して、その説明を省略する。
【００７１】
支持バー７は、断面Ｌ字状の枠体から形成され、両端部に固定孔７ａを備え、右側の基礎ブロック１と外側の基礎ブロック１との間において、前後方向二箇所に掛け渡される。
【００７２】
前後二本の支持バー７は、一端部が右側の基礎ブロック１の四本のボルト３０のうち、前後方向内側の二本のボルト３０にそれぞれ挿通され、他端部が外側の基礎ブロック１の前後のボルト３０にそれぞれ挿通される。
【００７３】
右側及び外側の基礎ブロック１に対して、上述のように前後二本の支持バー７の端部がボルト３０の挿通される状態で、ナットが締め付けられ、固定される。前後二箇所の支持バー７、７に対して、例えば、整流器などの通信機器類が固定される。
【００７４】
支持バー７は、材質として耐食性を有する折り曲げ加工が容易なものを適用することができる。例えば、高耐食性を有する亜鉛めっき鋼板を適用できる。
【００７５】
この発明に係る第一実施形態の屋外用架台は、上述のように構成される。次に、この屋外用架台の組み立て方法を図面に基づいて説明する。
【００７６】
最初に、既存のビル、マンション等の屋上に、３つの基礎ブロック１を左右方向に間隔をおいて配置し、さらに、右側の基礎ブロック１の右方外側に、外側の基礎ブロック１を配置する。
【００７７】
続いて、左側の基礎ブロック１と中間の基礎ブロック１との間にベースレール３を前後方向二箇所に掛け渡す。その後、中間の基礎ブロック１と右側の基礎ブロック１との間に、ベースレール３を前後方向二箇所に掛け渡す。
【００７８】
このとき、前後のベースレール３の両端部の固定孔３ｂに、それぞれの基礎ブロック１の前後のボルト３０が挿通されている。中間の基礎ブロック１においては、左側のベースレール３の他端部上に、右側のベースレール３の一端部が重なる状態でボルト３０に挿通する。
【００７９】
それぞれの基礎ブロック１に対して、前側のボルト３０に支持体２の前脚部１１の固定片１１ｃを挿通し、かつ、後側のボルト３０に支持体２の後脚部１２の固定片１２ｃを挿通して、前後のそれぞれのボルト３０の軸部にナットを締め付ける。これにより、それぞれの基礎ブロック１に対して支持体２が固定される。
【００８０】
その後、左側の支持体２の後脚部１２と、中間の支持体２の後脚部１２との間の上端に、ベースレール３を掛け渡す。掛け渡したベースレール３は、補強板部３ａが支持体２の後脚部１２上に載る状態となっている。この状態でベースレール３を保持することができるので、ベースレール３を支える必要がなく、ベースレール３の固定孔３ｂと、後面部１２ｂの固定孔１２ｄとの位置合わせが容易となる。
【００８１】
さらに、中間の支持体２の後脚部１２と、右側の支持体２の後脚部１２との間の上端において、ベースレール３を掛け渡す。ここで、中間の支持体２の後脚部１２においては、図７に示すように、左側のベースレール３の他端部上に、右側のベースレール３の一端部が重なる状態となる。
【００８２】
その後、それぞれの支持体２の後脚部１２において、後面部１２ｂと、上側のベースレール３の端部とをボルト３０とナットにより締結する。
【００８３】
続いて、左側の支持体２の傾斜桟部１３と中間の支持体２の傾斜桟部１３との間において、横桟４を前後方向二箇所に掛け渡す。その横桟４は、図９（ａ）に示すように、そのフック４ｃを左側の支持体２の傾斜桟部１３の係止孔１３ｄに接近させる。その後、フック４ｃを係止孔１３ｄに挿し込み（図９（ｂ）参照）、横桟４を左右方向内向きに移動させて（図９（ｃ）参照）、傾斜桟部１３に対して、横桟４の一端部を係止する。
【００８４】
続いて、右側の支持体２の傾斜桟部１３と中間の支持体２の傾斜桟部１３との間において、横桟４を前後方向二箇所に掛け渡す。その横桟４は、そのフック４ｃを右側の支持体２の傾斜桟部１３の係止孔１３ｄに接近させる。その後、フック４ｃを係止孔１３ｄに挿し込み、横桟４を左右方向内向きに移動させ、傾斜桟部１３に対して、横桟４の一端部を係止する。
【００８５】
中間の支持体２の傾斜桟部１３においては、左側の横桟４の他端部上に、右側の横桟４の他端部が重なっている。そして、このように重なる状態となる左右の横桟４の他端部の固定孔４ｂと、中間の支持体２の傾斜桟部１３の固定孔１３ｃとを一致させ、ボルト３０とナットにより締結する。
【００８６】
中間の支持体２と右側の支持体２との間において、後方の上側に掛け渡されるベースレール３の補強板部３ａに対して、共用器用固定具５のフック５ｃを後方から係止する。その後、一対の基板部５ａの下部と固定片５ｄとの間に、下側のベースレール３の補強板部３ａを挟み、ボルト３０及びナットにより締め付け、共用器用固定具５を固定する。
【００８７】
左側の支持体２と中間の支持体２との間において、後方の上側に掛け渡されるベースレール３の補強板部３ａに対して、ボックス用固定具６のフック６ｃを後方から係止する。その後、一対の基板部６ａの下部と固定片６ｄとの間に、下側のベースレール３の補強板部３ａを挟み、ボルト３０及びナットにより締め付け、ボックス用固定具６を固定する。
【００８８】
最後に、右側の基礎ブロック１と外側の基礎ブロック１との間に支持バー７を前後方向二箇所に掛け渡す。このとき、前後の支持バー７の両端部をそれぞれの基礎ブロック１の前後のボルト３０に挿通させ、ナットにより締結する。
【００８９】
このようにして組み立てられる第一実施形態の屋外用架台の支持体２は、前脚部１１、後脚部１２及び傾斜桟部１３が一体に形成される。このため、前脚部１１及び後脚部１２に対して傾斜桟部１３をボルト３０及びナットの締結により組み立てる必要がない。
【００９０】
また、支持体２の前脚部１１の固定片１１ｃにより、ベースレール３を介して、前脚部１１を基礎ブロック１にボルト３０及びナットにより固定することができる。そして、後脚部１２の固定片１２ｃにより、ベースレール３を介して、後脚部１２を基礎ブロック１にボルト３０及びナットにより固定することができる。このため、ベースレール３の固定作業を簡略化することができる。
【００９１】
さらに、横桟４のフック４ｃを傾斜桟部１３の係止孔１３ｄに係止させると、横桟４の一端部が傾斜桟部１３に支持される状態となる。その状態では、横桟４の一端部を支える必要がなく、ボルト３０及びナットの締結により横桟４を支持体２の傾斜桟部１３に容易に固定することができる。
【００９２】
横桟４のフック４ｃを支持体２の傾斜桟部１３の係止孔１３ｄに係止させるため、横桟４の一端部では、傾斜桟部１３に対して、ボルト３０及びナットの締結が不要となる。
【００９３】
また、支持体２は、前脚部１１、後脚部１２及び傾斜桟部１３が一体に形成されるので、別体に構成される場合と比較してボルト及びナットの締結が不要となり、軽量化が図れる。
【００９４】
この発明の第二実施形態の屋外用架台を図１２〜１４に基づいて、説明する。
この実施形態の屋外用架台は、上述した第一形態の屋外用架台に対して、その左側に延長用架台２０をさらに取り付けた点で相違する。その他の構成は、第一実施形態の屋外用架台と同じ構成であるため、その説明を省略し、相違点のみを説明する。
【００９５】
延長用架台２０は、図１２に示すように、左側の基礎ブロック１の左方外側に配置される延長用の基礎ブロック１と、延長用の基礎ブロック１に固定される延長用の支持体２と、延長用の支持体２と左側の支持体２との間に掛け渡される延長用ベースレール２１及び延長用の横桟４とを備える。
【００９６】
延長用の基礎ブロック１は、図１２に示すように、第一実施形態での左側の基礎ブロック１と同じ構造であるので、左側の基礎ブロック１と同じ符号を付して、その説明を省略する。
【００９７】
延長用の支持体２は、第一実施形態での左側の支持体２と同じ構造であるので、左側の支持体２と同じ符号を付して、その説明を省略する。
【００９８】
延長用ベースレール２１は、帯状の金属板からなり、その幅方向一端縁から直角に立ち上がる補強板部２１ａと、長さ方向一端部に形成される固定片２１ｂとから形成される。また、延長用ベースレール２１の長さ方向両端部及び固定片２１ｂに固定孔２１ｃが形成される。
【００９９】
延長用の横桟４は、図１４、１５に示すように、第一実施形態での横桟４と同じ構造である。このため、横桟４と同じ符号を付して、その説明を省略する。
【０１００】
延長用架台２０は、左側の支持体２に対して左側に形成される。左側の基礎ブロック１と延長用の基礎ブロック１との間において、延長用ベースレール２１が前後方向二箇所に掛け渡されている。
【０１０１】
その前後二本の延長用ベースレール２１は、補強板部２１ａが前後方向外側に配置される状態で、固定片２１ｂが左側の支持体２の前脚部１１及び後脚部１２の側面部１１ａ、１２ａにそれぞれ対向する（図１３参照）。また、他端部の固定孔２１ｃが、延長用の基礎ブロック１の前後のボルト３０にそれぞれ挿通されている（図１４参照）。
【０１０２】
延長用の基礎ブロック１に対し、延長用の支持体２の前脚部１１の固定片１１ｃが延長用ベースレール２１の他端部を介してボルト３０及びナットにより固定される。延長用の支持体２の後脚部１２の固定片１２ｃが延長用ベースレール２１の端部を介してナットの締め付けにより固定される。
【０１０３】
前後の延長用ベースレール２１のうち、前側の延長用ベースレール２１は、その固定片２１ｂと、前脚部１１の側面部１１ａとがボルト３０とナットの締結により固定される。後側の延長用ベースレール２１は、その固定片２１ｂと、後脚部１２の側面部１２ａとがボルト３０とナットの締結により固定される。
【０１０４】
延長用の支持体２の後脚部１２と左側の支持体２の後脚部１２との間の上端に、延長用ベースレール２１が掛け渡されている。その延長用ベースレール２１は、補強板部２１ａが上方に配置され、固定片２１ｂが、左側の支持体２の後脚部１２の側面部１２ａに対向する。
【０１０５】
後方上側の延長用ベースレール２１は、その固定片２１ｂと、後脚部１２の側面部１２ａとがボルト３０とナットの締結により固定され、他端部が延長用の支持体２の後脚部１２の後面部１２ｂに、ボルト３０とナットの締結により固定される。
【０１０６】
延長用の支持体２の傾斜桟部１３と左側の支持体２の傾斜桟部１３との間において、延長用の横桟４が前後方向二箇所に掛け渡される。延長用の横桟４、４は、一端部のフック４ｃが延長用の支持体２の傾斜桟部１３の係止孔１３ｄに係止する。
【０１０７】
左側の支持体２の傾斜桟部１３には、その傾斜桟部１３にフック４ｃが係止する横桟４の一端部上に、延長用の横桟４の他端部が重なる状態となっている。この状態では、延長用の横桟４の固定孔４ｂと、左側の支持体２の傾斜桟部１３にフック４ｃが係止する横桟４の固定孔４ｂとが、左側の支持体２の傾斜桟部１３の固定孔１３ｃに一致する。これらの固定孔４ｂ、１３ｃにボルト３０が挿通され、ナットが締結される。
【０１０８】
以上のように、延長用架台２０は、延長用ベースレール２１が左側の支持体２の前脚部１１及び後脚部１２に直接一体化されるため、左側の基礎ブロック１に対して、左側の支持体２を取り外す必要がなく、組み立てが容易である。
【０１０９】
また、延長用架台２０は、延長用ベースレール２１以外は、第一実施形態の基礎ブロック１、支持体２及び横桟４を使用することができ、製作コストを抑えることができる。
【符号の説明】
【０１１０】
１  基礎ブロック
１ａ  ガイド溝
１ｂ  突条
２  支持体
３  ベースレール
３ａ  補強板部
３ｂ  固定孔
４  横桟
４ａ  補強板部
４ｂ  固定孔
４ｃ  フック
５  共用器用固定具
６  ボックス用固定具
５ａ、６ａ  基板部
５ｂ、６ｂ  固定枠部
５ｃ、６ｃ  フック
５ｄ、６ｄ  固定片
７  支持バー
７ａ  固定孔
１１  前脚部
１１ａ  側面部
１１ｂ  前面部
１１ｃ  固定片
１１ｄ  固定孔
１２  後脚部
１２ａ  側面部
１２ｂ  後面部
１２ｃ  固定片
１２ｄ  固定孔
１３  傾斜桟部
１３ａ  側面部
１３ｂ  上面部
１３ｃ  固定孔
１３ｄ  係止孔
２０  延長用架台
２１  延長用ベースレール
２１ａ  補強板部
２１ｂ  固定片
２１ｃ  固定孔
３０  ボルト
５０  基礎ブロック
５１  前脚部
５２  後脚部
５３  傾斜桟部
５４  支持体
５５  ベースレール
５６  横桟
【図１】
0006457311.tif 000002
【図２】
0006457311.tif 000003
【図３】
0006457311.tif 000004
【図４】
0006457311.tif 000005
【図５】
0006457311.tif 000006
【図６】
0006457311.tif 000007
【図７】
0006457311.tif 000008
【図８】
0006457311.tif 000009
【図９】
0006457311.tif 000010
【図１０】
0006457311.tif 000011
【図１１】
0006457311.tif 000012
【図１２】
0006457311.tif 000013
【図１３】
0006457311.tif 000014
【図１４】
0006457311.tif 000015
【図１５】
0006457311.tif 000016
【図１６】
0006457311.tif 000017